(57)【特許請求の範囲】
【請求項１】
凹状に削ったグラス、コップ状に形成した頭部と、頭部を支える胴体部と、頭部と胴体部をつなぐ首部を備え、首部と胴体部のつなぎ箇所に凹凸の刻み込みを具備し、廻して音を出すことを特徴とするこけし型の容器。
【請求項２】
頭部は内側と外側に分かれる二重構造として内側は容器状、外側は複数個に分割して回転することが出来る輪状であることを特徴とする請求項１記載のこけし型の容器。
【請求項３】
胴体部に空洞穴を設け光源を具備し、光源のひかりは頭部を照らすことを特徴とする請求項１又は２に記載のこけし型の容器。
【請求項４】
胴体部に音源を付加することを特徴とする請求項１〜３のいずれか1項に記載のこけし型の容器。 
【発明の詳細な説明】
【技術分野】
【０００１】
本発明はこけし形状にグラス、コップ、容器のかたちとしたものである。本体部に光源など具備した。更に音源、スピーカー、マイク、録音・再生チップ、センサー基盤を組み合わせた。また光を吸収放出する蓄光性を施したもの。消灯後でも光が見えやすい構造とした。本体に絵柄・紋様など配し美しく装飾することができる。グラス、コップ、容器に液体を注ぎ飲食時にも楽しめる趣向性がある置物（飾り）としても心が癒され実用性にも適したことに特徴ある。
こけし人形に手足や鼻目パーツを付け替えられることとして、愛嬌があるイメージとなる。更に着せ替え人形の様に衣装、メガネ、小物バック、アクセサリー、帽子等付け替えて楽しめる趣向性ある遊び心は、大人から子どもまで楽しめる。伝統的産業工芸品であることのふたつの形状からなる容器である。
【背景技術】
【０００２】
前従来のこけしは人形の形態で、単なる置物や飾り物としての、おみやげ民芸品玩具であった。全国各地の伝統ある特色を反映したものであり、それなりの表現の豊かな趣味性はあったが、実用的な面や趣向・多様性に欠け飽きてしまう。時代とともに人々の趣向性に合致せず時代のながれ変化の波に対応が遅れてしまった。
【先行技術文献】
【特許文献】
【０００３】
【特許文献１】実用新案登録第３１７３８７１号広報
【特許文献２】特開２００４−１６３１１７号広報
【発明の概要】
【発明が解決しようとする課題】
【０００４】
しかし、実用新案文献１で開示されている技術は、前従来のこけし型の内部に光源ユニット装着し、地震等で転倒した時に底部が照明器具の代用としての技術の開示である。
【０００５】
また、特許文献２で開示されているこけしに内蔵されている振動検知装置は、いずれも
振動にたいする案件の技術の開示である。
【課題を解決するための手段】
【０００６】
当考案は前従来型の日本伝統の意匠技術を継承しつつ、部分改良して置物や飾りものと日常的実用性に富んだ多様性ある工芸品に生まれ変わせることができる。また多方面に利用頻度を高められるものとした。こけし形体の一部に細部の仕掛けと創意工夫を施す。胴体部または首部に空洞穴を設け、光源チップ、センサーなど具備した。更に音源、スピーカー、マイク、録音・再生チップ、センサー類を組み合わせたり。また光を吸収放出する蓄光性を施し、消灯後も光が見えやすい構造とした。本体部分には絵柄・紋様など配し美しく装飾することも可能。さらに頭（顔）部は内側を凹状に削りグラス、コップ、形状の形状に加工し、液体を注げると言う特徴あるこけし型のふたつの形状からなる容器。
【発明の効果】
【０００７】
置物（飾り）としても又、実用適性にも富んでいる。多種多様性のバリエーションからして飽きのこない、美しくも楽しめるものである。シャンパンやワイン、お酒など注ぎ祝杯をかざす時、光源発光体は鮮やかに光りを増し楽しい演出効果も期待できる又、癒し効果もそなわる新感覚のこけし型のふたつの形状からなる容器。。
【図面の簡単な説明】
【０００８】
【図１】Ａこけし形体の基本形。      Ｂａ−ａ`断面図
【図２】Ａ形体の一部。頭部の二重構造で、内輪と外輪からなる。      Ｂ回転できる構造。頭部外側は複数に分割し絵柄合わせ図。
【図３】ｂ−ｂ`透視図
【図４】こけし基本形からの応用形着せ替え図容器の基本形。
【図５】Ａパーツ各種アイテム。      Ｂ義眼パーツ、ｇ−ｇ`断面図、目は立体的で眼球は動く。
【図６】イメージ透視図。
【図７】断面図。
【図８】ｅ−ｅ`断面図
【図９】ｃ−ｃ`断面図
【図１０】底側図
【図１１】着せ替え図。グラス、コップ（容器）の基本形。
【図１２】Ａ、Ｂバリエーションの形状容器として様々な形状が可能である。
【図１３】Ａ、Ｂバリエーションの両口上下とも容器。
【発明を実施するための形態】
【実施例】
【０００９】
図１、Ｂは首部と胴部のつなぎ箇所に凹凸の刻み込みを具備し廻して音を出す仕組みや音源・発生センサーを組み込み。図３は胴体内部断面図に仕掛けをした図である。頭部と胴体部をつなぎ合わせた箇所を廻しゼンマイ螺子を巻きあげる。音（音楽）を奏でるオルゴール１６を組み込む４３によるゼンマイ回転動力を使用したが、電動式モーターも可能だが限定したものではない。
更に外部から接続できる、スピーカーやマイク等の機能を付することも可能である。光源１４は特に限定したものではない。
図６は光源設けたグラス、コップ、容器部９を照らす。容器部に蓄光性（塗布）１１付加した図である。透明・半透明容器部に凹凸の微細な刻みキズ状３２をつけるとより一層、光が拡散できる光彩が華美に輝くことである。
【００１０】
スイッチ（ＯＮ−ＯＦＦ）部は振動式、音感知式、温感知式、光感知式、傾斜式、圧電式、磁気式、触感知式、圧電式、ロータリー式、スライド式、遠心力式、液状スイッチ、各種スイチ素子センサー等があるが特に限定したものではない。
電池（バッテリー）はボタン電池、小型の蓄電池など特に限定したものではない。
図５衣装・装身具の着せ替えを可能としたこと。こけし形状人形の外装・装身具に付加価値を加える。衣服やメガネ付帯装身具の付け替えを可能とした。顔や外装に変化をもたせる、小物アイテム、手足目鼻パーツの組み合せ頭部には蓋、キャップ（帽子）などのこれらのパーツ３４−４１、アイテム部品はつけ替えられる。多様な意匠の組み合わせと色彩が加えられる。脳にも働く知恵のつく工芸玩具品としても楽しめる要素が大きい。図１１、Ａ，Ｂ着せ替えや意匠の多種多様性など進歩的な工芸品である。さまざまな形体の姿が考えられるが特に限定したものではない。
【産業上の利用可能性】
【００１１】
一般家庭やイベント会場、挙式場での宴会パーティーの際に周りを暗くした室内での使用効果が発揮できるものである。光源からを透過反射した容器が光り輝く１２。また蓄光性を施した部位１１もほのかに光が増すので、よりよいイメージの演出効果が期待できる。またこけしには音源発生装着されたものは今までに無かった（アイテム）としての新しい感性の工芸品。おみやげ品としても大変に喜ばれる。日本全国各地の工芸産地の活性化にもつながる可能性を秘めるものである。
【００１２】
日本の伝統的工芸産業は長い歴史をもち、精密さや緻密さで高度な技術力を持っているしかし、進歩性には欠けていた。時代とともに人々の趣向は変化した、工芸品は次第に斜陽化となりつつある。古い感覚の殻を脱し、新しいイメージの息吹を吹込む伝統的なＤＮＡを継承して、尚かつ近代的な要素を加味した製品づくりが必要である。伝統と新技術のアイデアとの融合性は常に新規性が求められている。
【符号の説明】
【００１３】
１  頭部
２  つなぎ（首）部
３  胴体部
４  脚部、スタンド
５  頭部外輪（回転）部
６  切れ目（分割）
７  頭部内輪
８  留めリング
９  器、不透明、透明・半透明
１０  木質部
１１  蓄光部
１２  反射光部
１３  細工部所、音響スピーカー、マイク
１４  ＬＥＤ
１５  空洞部
１６  オルゴール
１７  電池
１８  凹凸部
１９  接合凸起部
２０  スイッチ
３０  留め具
３１  治具
３２  凹凸刻みキズ部
３３  蓋（キャップ）帽子
３４  メガネ
３５  小物バック類
３６  衣装
３７  手
３８  足
３９  耳
４０  鼻
４１  目
４２  留め具
４３  ぜんまい
４４  絵柄・紋様
４５  液体
【要約】
【課題】  前従来こけしは日本各地には地場産業の伝統的産業工芸品としての意匠を持ち合わせ、観光客のおみやげ品であった。主に人形で地域特有の形と特徴豊かな顔立ちは個性的な置物（飾り）として生産・販売されている。
【解決手段】  本体基本人形形は頭部・首・胴体部から成立つ。頭部（顔）又は胴体内部を深く削り込み容器形状からなる図１、図２、図４、図１１図、１２図。首から頭部に工夫する図６、図７本体首部に光源１４を具備する、頭部容器１、９を照らすことで、透過光は図６−１２範囲のように輝き華美に映える。また蓄光部質図６−１１は消灯後も光を放出するので余韻がのこるという高度な演出効果がある。
一方本体の一部位に仕掛け細工を施す図１２、図１３−１３、部位、首から同部には音源や他の仕掛け図３−１６、頭部を廻して音源螺子を巻き再現させる。図４こけしの形状に手足を付し、図５−Ａ、Ｂ着せ替えアイテムを付け替えられる。
【選択図】    図１【図１】
0005547830.tif 000002
【図２】
0005547830.tif 000003
【図３】
0005547830.tif 000004
【図４】
0005547830.tif 000005
【図５】
0005547830.tif 000006
【図６】
0005547830.tif 000007
【図７】
0005547830.tif 000008
【図８】
0005547830.tif 000009
【図９】
0005547830.tif 000010
【図１０】
0005547830.tif 000011
【図１１】
0005547830.tif 000012
【図１２】
0005547830.tif 000013
【図１３】
0005547830.tif 000014